(57)【要約】【課題】複数の操作対象をまとめて操作し、それぞれ独立に操作することを可能とし、コントロールケーブル本数を削減する分岐装置を提供する。【解決手段】コントロールケーブルの分岐装置が、２本ずつのｎ組を構成する各組の２本のコントロールケーブルの中心軸が連続するように、２本のコントロールケーブルのそれぞれの内索と対向して、２本の内索が独立して軸方向に摺動可能でかつ内索が抜けないように、該内索の端部を収容するｎ個の連結器と、全てのコントロールケーブルの導管の一方の端を中心軸が平行な向きに固定し、かつｎ個の連結器を内索の摺動方向にスライド可能に収容するケースと、２本ずつの組を構成しないコントロールケーブルの内索の一方の端部に係合され、該導管がケースに固定される側と反対側の連結器の面に当接し、該内索をケースに固定されていない端部側に引くことによって、連結器をスライド方向に付勢するプレートとからなる。【選択図】図２
2006057827.tif 000002
【特許請求の範囲】
【請求項１】
導管と該導管に挿通される内索とからなる３本のコントロールケーブルを有し、該３本のコントロールケーブルが２本を１組とした構成を有するコントロールケーブルと、２本を１組とした構成を有しないコントロールケーブルとからなるコントロールケーブルの分岐装置であって、
前記２本を１組とした構成を有するコントロールケーブルにおいて、該２本のコントロールケーブルの中心軸が連続するように、該２本のコントロールケーブルのそれぞれの内索と対向して、該２本の内索がそれぞれ独立して軸方向に摺動可能でかつ該２本の内索が抜けないように、該２本の内索の端部を収容するシリンダ部を有する１個の連結器と、
前記３本のコントロールケーブルのそれぞれの導管の一方の端を、中心軸が平行な向きに固定し、かつ、前記１個の連結器を、前記シリンダ部の摺動方向にスライド可能に収容する鞘部を有するケースと、
前記２本を１組とした構成を有しないコントロールケーブルの内索の一方の端部に係合または固定されるプレートであって、該コントロールケーブルの導管がケースに固定される側と反対側の前記連結器の面に当接し、該コントロールケーブルの内索を該導管の前記ケースに固定されていない端部側に引くことによって、前記当接している連結器を、該コントロールケーブルの導管が固定されている側に付勢するプレートと
を有してなるコントロールケーブルの分岐装置。
【請求項２】
導管と該導管に挿通される内索とからなる４本のコントロールケーブルを有し、該４本のコントロールケーブルが２本を１組とした構成を有するコントロールケーブルと、２本を１組とした構成を有しないコントロールケーブルとからなるコントロールケーブルの分岐装置であって、
前記２本を１組とした構成を有するコントロールケーブルにおいて、該２本のコントロールケーブルの中心軸が連続するように、該２本のコントロールケーブルのそれぞれの内索と対向して、該２本の内索がそれぞれ独立して軸方向に摺動可能でかつ該２本の内索が抜けないように、該２本の内索の端部を収容するシリンダ部を有する１個の連結器と、
前記４本のコントロールケーブルのそれぞれの導管の一方の端を、中心軸が平行な向きに固定し、かつ、前記１個の連結器を、前記シリンダ部の摺動方向にスライド可能に収容する鞘部を有するケースと、
前記２本ずつの組を構成しないコントロールケーブルの内索の一方の端部に係合または固定されるプレートであって、該コントロールケーブルの導管がケースに固定される側と反対側の前記連結器の面に当接し、該コントロールケーブルの内索を該導管の前記ケースに固定されていない端部側に引くことによって、前記当接している連結器を、該コントロールケーブルの導管が固定されている側に付勢するプレートと
を有してなるコントロールケーブルの分岐装置。
【請求項３】
導管と該導管に挿通される内索とからなる複数のコントロールケーブルを有し、該複数のコントロールケーブルが２本ずつのｎ組を構成するコントロールケーブルと、２本ずつの組を構成しないコントロールケーブルとからなるコントロールケーブルの分岐装置であって、
前記２本ずつのｎ組を構成するコントロールケーブルにおいて、それぞれの組の２本のコントロールケーブルの中心軸が連続するように、該２本のコントロールケーブルのそれぞれの内索と対向して、該２本の内索がそれぞれ独立して軸方向に摺動可能でかつ該２本の内索が抜けないように、該２本の内索の端部を収容するシリンダ部を有するｎ個の連結器と、
前記複数のコントロールケーブルのそれぞれの導管の一方の端を、中心軸が平行な向きに固定し、かつ、前記ｎ個の連結器を、前記シリンダ部の摺動方向にスライド可能に収容する鞘部を有するケースと、
前記２本ずつの組を構成しないコントロールケーブルの内索の一方の端部に係合または固定されるプレートであって、該コントロールケーブルの導管がケースに固定される側と反対側の前記連結器の面に当接し、該コントロールケーブルの内索を該導管の前記ケースに固定されていない端部側に引くことによって、前記当接している連結器を、該コントロールケーブルの導管が固定されている側に付勢するプレートと
を有してなるコントロールケーブルの分岐装置。
【請求項４】
２以上の前記プレートを有し、該２以上のプレートそれぞれが少なくとも１本のコントロールケーブルの内索に係合または固定される請求項３記載のコントロールケーブルの分岐装置。
【請求項５】
２以上の前記プレートを有し、該２以上のプレートそれぞれが少なくとも１本のコントロールケーブルの内索に係合または固定され、該２以上のプレートの一部が前記連結器の端面で重なり合う請求項３記載のコントロールケーブルの分岐装置。
【請求項６】
前記プレートの１つが２本以上のコントロールケーブルと係合し、該２本以上のコントロールケーブルのうちの少なくとも１本は、該プレートに係合する他のコントロールケーブルと逆方向に係合する請求項３記載のコントロールケーブルの分岐装置。
【請求項７】
導管と該導管に挿通される内索とからなるコントロールケーブル５本を有し、該５本のコントロールケーブルが２本を１組とした構成を有するコントロールケーブルと、２本を１組とした構成を有しないコントロールケーブルとからなるコントロールケーブルの分岐装置であって、
側面が隣接して同じ中心軸で回転しうる２個のプーリーと、
該２個のプーリーを、側面が隣接して同じ中心軸で回転しうるように収容し、かつ、前記５本のコントロールケーブルのそれぞれの導管の一方の端を、前記プーリー外周の接線方向に固定するケースとを有してなり、
前記２個のプーリーは、
それぞれの外周に前記コントロールケーブルの内索が係合する２条の溝と、
該２条の溝の１条に前記内索の端部が係合する凹部と、
該２条の溝の他の１条に前記内索の端部が係合する半径方向の端面と該端面につらなるプーリー外周に設けられた小径部とが形成され、
前記２個のプーリーのうち１つのプーリーは前記端面を有する溝に、さらに別の内索の端部が係合する第２の端面と該第２の端面につらなるプーリー外周に設けられた小径部が形成され、
前記２個のプーリーのうち１方のプーリーは他方のプーリーと隣接する側面に突部が形成され、他方のプーリーは前記突部が形成される側面と隣接する側面に、前記突部がはまり込むプーリーの回転中心を中心とする同心円状の一部をなすくぼみが形成されており、
前記２本を１組とした構成を有するコントロールケーブルは、それぞれの組の該２本のコントロールケーブルの内索が、それぞれ引いたときに互いにプーリーを反対向きに回転するように、前記２個のプーリーのうちの１つのプーリーの２条の溝にそれぞれかかり、
前記第２の端面に、前記２本を１組とした構成を有しないコントロールケーブルの内索が、前記２本を１組とするコントロールケーブルのうち同じ溝に係合するコントロールケーブルと同じ向きにプーリーを回転せしめるようにかかり、
前記２本を１組とした構成を有しないコントロールケーブルの内索を引くことによって、前記２個のプーリーが同じ向きに同時に回転するように、前記突部とくぼみが形成されているコントロールケーブルの分岐装置。
【請求項８】
請求項１、２、３、４、５、６または７記載のコントロールケーブルの分岐装置を有する、コントロールケーブルおよびそれを用いた自動車。
【発明の詳細な説明】
【技術分野】
【０００１】
本発明は遠隔操作をするためのコントロールケーブルを分岐して、２以上の操作対象をまとめて操作したり、１つの操作対象を２箇所で操作するコントロールケーブルの分岐装置に関する。
【背景技術】
【０００２】
自動車では操作対象を、複数箇所から操作できるようにする場合がある。たとえば、後部シートの前後スライド調節、リクライニング角度調節をシートに座って操作するだけでなく、リアハッチ側からも操作できるようにする場合がある。
【０００３】
近年はミニバンと呼ばれる多目的車種が増加しているが、ミニバンでは荷物を積み込む際に、リアハッチ側から後部シートを倒す操作を行なえるようにしたものが多い。リアハッチからはシートに手が届かないので、シートの前後スライドや背もたれを倒す操作を、シートとリアハッチ側の２箇所で行えるようにすることが必要になる。その場合、リアハッチ側からの操作は前後スライド、リクライニングおよびチルトを１つの操作で行なうのが望ましい。
【０００４】
そこで、シートなどを遠隔操作するためにコントロールケーブルが分岐接続して用いられている。コントロールケーブルの分岐接続としては、内索同士を分岐（または集合）固定接続している（特許文献１、特許文献２の図４参照）。
【０００５】
また、複数系統のコントロールケーブルにおいて、一体化された中間接手の介在によって、被操作機器を単独または複合的に操作し得る、中間接手が提案されている（特許文献３参照）。
【０００６】
【特許文献１】特開２００２−９６６６３号公報
【特許文献２】特開平６−２３９２３５号公報
【特許文献３】特開２００３−１８４８５１号公報
【発明の開示】
【発明が解決しようとする課題】
【０００７】
従来のケーブル分岐装置は、コントロールケーブルの内索を分岐固定接続しているので、複数の操作対象があって、それぞれ独立に操作できるようにするためには、複数の分岐装置が必要で、コントロールケーブルの本数が多くなってしまう（図２１参照）。そのため、部品数が多く、組立て作業と調整作業が増加し、さらにコントロールケーブルの保守作業も増加するという問題がある。
【０００８】
また、特許文献３の中間接手では、複数の操作対象をまとめて操作するコントロールケーブルを、単独操作コントロールケーブルとは別に設けることができない。しかも、単独操作コントロールケーブルの中間の適正な位置に、ニップルエンドを設けるので、コントロールケーブルの製作と組立てが難しい。
【０００９】
本発明は、複数の操作対象が、それぞれ複数の操作部を有する場合に、コントロールケーブルの分岐装置によって、複数の操作対象を一箇所でまとめて操作することが可能で、また、複数の操作対象をそれぞれ独立に操作可能で、かつ、コントロールケーブルの本数を少なくし、しかもコントロールケーブルの製作と調整が困難でない、自動車に適用し得るコントロールケーブルの分岐装置を提供することを目的とする。
【課題を解決するための手段】
【００１０】
本発明のコントロールケーブルの分岐装置は、導管と該導管に挿通される内索とからなる複数のコントロールケーブルを有し、該複数のコントロールケーブルが２本ずつのｎ組を構成するコントロールケーブルと、２本ずつの組を構成しないコントロールケーブルとからなるコントロールケーブルの分岐装置であって、
前記２本ずつのｎ組を構成するコントロールケーブルにおいて、それぞれの組の２本のコントロールケーブルの中心軸が連続するように、該２本のコントロールケーブルのそれぞれの内索と対向して、該２本の内索がそれぞれ独立して軸方向に摺動可能でかつ該２本の内索が抜けないように、該２本の内索の端部を収容するシリンダ部を有するｎ個の連結器と、
前記複数のコントロールケーブルのそれぞれの導管の一方の端を、中心軸が平行な向きに固定し、かつ、前記ｎ個の連結器を、前記シリンダ部の摺動方向にスライド可能に収容する鞘部を有するケースと、
前記２本ずつの組を構成しないコントロールケーブルの内索の一方の端部に係合または固定されるプレートであって、該コントロールケーブルの導管がケースに固定される側と反対側の前記連結器の面に当接し、該コントロールケーブルの内索を該導管の前記ケースに固定されていない端部側に引くことによって、前記当接している連結器を、該コントロールケーブルの導管が固定されている側に付勢するプレートと
を有してなる。
【００１１】
また、本発明のコントロールケーブルの分岐装置は、２以上の前記プレートを有し、該２以上のプレートそれぞれが少なくとも１本のコントロールケーブルの内索に係合するように配置してもよい。
【００１２】
さらに、本発明のコントロールケーブルの分岐装置は、２以上の前記プレートを有し、該２以上のプレートそれぞれが少なくとも１本のコントロールケーブルの内索に係合し、該２以上のプレートの一部が前記連結器の端面で重なり合うように配置することができる。
【００１３】
なお、独立操作しなくてよい操作対象がある場合には、前記プレートが２本以上のコントロールケーブルと係合し、該２本以上のコントロールケーブルのうちの少なくとも１本は、前記プレートに係合する他のコントロールケーブルと逆方向に係合するように配置して、前記連結器を省略してもよい。
【００１４】
また、別の形態として、本発明のコントロールケーブルの分岐装置は、導管と該導管に挿通される内索とからなる５本のコントロールケーブルを有し、該５本のコントロールケーブルが２本を１組とした構成を有するコントロールケーブルと、２本を１組とした構成を有しないコントロールケーブルとからなるコントロールケーブルの分岐装置であって、
側面が隣接して同じ中心軸で回転しうる２個のプーリーと、
該２個のプーリーを、側面が隣接して同じ中心軸で回転しうるように収容し、かつ、前記５本のコントロールケーブルのそれぞれの導管の一方の端を、前記プーリー外周の接線方向に固定するケースとを有してなり、
前記２個のプーリーは、
それぞれの外周に前記コントロールケーブルの内索が係合する２条の溝と、
該２条の溝の１条に前記内索の端部が係合する凹部と、
該２条の溝の他の１条に前記内索の端部が係合する半径方向の端面と該端面につらなるプーリー外周に設けられた小径部とが形成され、
前記２個のプーリーのうち１つのプーリーは前記端面を有する溝に、さらに別の内索の端部が係合する第２の端面と該第２の端面につらなるプーリー外周に設けられた小径部が形成され、
前記２個のプーリーのうち１方のプーリーは他方のプーリーと隣接する側面に突部が形成され、他方のプーリーは前記突部が形成される側面と隣接する側面に、前記突部がはまり込むプーリーの回転中心を中心とする同心円状の一部をなすくぼみが形成されており、
前記２本を１組とした構成を有するコントロールケーブルは、それぞれの組の該２本のコントロールケーブルの内索が、それぞれ引いたときに互いにプーリーを反対向きに回転するように、前記２個のプーリーのうちの１つのプーリーの２条の溝にそれぞれかかり、
前記第２の端面に、前記２本を１組とした構成を有しないコントロールケーブルの内索が、前記２本を１組とするコントロールケーブルのうち同じ溝に係合するコントロールケーブルと同じ向きにプーリーを回転せしめるようにかかり、
前記２本を１組とした構成を有しないコントロールケーブルの内索を引くことによって、前記２個のプーリーが同じ向きに同時に回転するように、前記突部とくぼみが形成されている。
【発明の効果】
【００１５】
本発明のコントロールケーブルの分岐装置によれば、コントロールケーブルを分岐して、１箇所でまとめて操作することができ、かつ、操作対象を独立に操作できる。と同時に、コントロールケーブルの本数を少なくできる。
【００１６】
また、本発明のコントロールケーブルの分岐装置によれば、集合操作の複数の組み合わせを設定することができる。
【００１７】
なお、集合操作でのみ操作できる対象を簡易に設けることができる。
【００１８】
さらに、双方向に集合操作の組み合わせを設定することができる。
【００１９】
プーリーを使用するコントロールケーブルの分岐装置では、操作対象と分岐装置の設置箇所に合わせてコントロールケーブルの取り付け方向を任意に設定することができる。また、プーリーの外径を変えることによって、操作量の異なる対象を組み合わせてまとめて操作することができる。
【発明を実施するための最良の形態】
【００２０】
つぎに図面を参照して、本発明のコントロールケーブル分岐装置にかかわる実施の形態について説明する。
【００２１】
実施の形態１
図１は、本発明の実施の形態１にかかわるコントロールケーブルの分岐装置４０を使用する、操作系統の構成概念図である。実施の形態１では、駆動部が２つで、１つの組み合わせ操作を有する場合を示す。たとえば、シートのリクライニング操作とチルト操作をそれぞれ独立に操作できるだけでなく、両操作をまとめて一本のコントロールケーブルで遠隔操作できるようにする場合である。
【００２２】
図２は、本発明の実施の形態１にかかわる、駆動部が２つで、１つの組み合わせ操作を有する場合における、コントロールケーブルの分岐装置４０の構造断面図（ａ）、および（ａ）のＸ−Ｘ線断面図（ｂ）である。
【００２３】
図２において、ケース３０の両側に駆動部コントロールケーブル２ａ、２ｂの導管５ａ、５ｂ、および操作部コントロールケーブル３ａ、３ｂの導管６ａ、６ｂが、駆動部と操作部のコントロールケーブルの組で対向して、中心軸が連続し、それぞれが平行になるように固定されている。すなわち、リクライニング駆動部のコントロールケーブル２ａとリクライニング操作部のコントロールケーブル３ａが対向し、チルト駆動部のコントロールケーブル２ｂとチルト操作部のコントロールケーブル３ｂが対向するように、導管５ａと６ａが対向し、導管５ｂと６ｂが対向して固定されている。また、遠隔操作コントロールケーブル１の導管４がケース３０の、操作部コントロールケーブル３ａ、３ｂの導管６ａ、６ｂが固定されている側（図２の（ａ）では左側）に固定されている。
【００２４】
駆動部コントロールケーブル２ａ、２ｂの内索８ａ、８ｂ、および操作部コントロールケーブル３ａ、３ｂの内索９ａ、９ｂの端には、軸に直角な断面が内索の断面より大きいエンド１０が固定されている。各エンド１０は駆動部と操作部の組ごとに１つの連結器２０に、対向して摺動可能に収容されている。連結器２０ａ、２０ｂには、エンド１０が摺動可能なシリンダ部２１が形成されており、両端ではエンド１０が抜けないように係合している。
【００２５】
リクライニング操作とチルト操作のそれぞれに対応する２つの連結器２０ａ、２０ｂは、ケース３０内に形成された鞘部３１に平行に収容されている。２つの連結器２０ａ、２０ｂの一方の端面に当接するように、プレート１１が設置され、プレート１１には遠隔操作コントロールケーブル１の内索７の端部が、抜けないように係合されている。実際には、遠隔操作コントロールケーブルを組み立てる際、内索７にプレート１１を通したのち、内索７の端部にニップルエンド１３を固定する。プレート１１にコントロールケーブル１の内索７を通すためのスリットを設けて、あとからはめてもよい。プレート１１にはまた、リクライニング駆動部とチルト駆動部コントロールケーブル２ａ、２ｂの内索８ａ、８ｂを通すために、スリットが設けられているが、図２では省略している。
【００２６】
図２の構成を実現するために、適宜ケース３０を分割したり、コントロールケーブルの内索を通すためのスリットや穴が必要になるが、それらは設計・製造上の問題なので、説明および図示を省略する。
【００２７】
つぎに、動作および作用について図３〜５を参照して説明する。図３は、リクライニング操作レバー６０ａ（図示せず）のみを、独立して操作した場合を示す。リクライニング操作レバー６０ａを操作すると、リクライニング操作用の内索９ａがレバー方向（図３では左側）に引かれる。リクライニング操作用の内索９ａのエンド１０が連結器２０ａに係合しているので、連結器２０ａがリクライニング操作レバー６０ａ側に引かれ、同時に連結器２０ａの反対側に係合しているリクライニング駆動部５０ａ（図示せず）に接続されているコントロールケーブル２ａの内索８ａを引く。連結器２０ｂとプレート１１は当接しているだけなので、リクライニング操作レバーの動作はプレート１１には伝わらず、リクライニング駆動部５０ａのみが作動する。
【００２８】
図４はチルト操作レバー６０ｂ（図示せず）のみを、独立して操作した場合を示す。図３のリクライニング操作と同様にチルト操作レバー６０ｂのみ操作すると、その動作はプレート１１には伝わらず、チルト駆動部５０ｂ（図示せず）のみが動作する。
【００２９】
図５は遠隔レバー７０（図示せず）を操作した場合を示す。遠隔レバー７０を操作すると、遠隔操作コントロールケーブル１の内索７が操作レバー側（図５では左側）に引かれる。遠隔操作コントロールケーブル１の内索７の端はプレート１１に係合しているので、プレート１１が遠隔レバー側に引かれることになる。プレート１１は２つの連結器２０の端面に当接しているので、プレート１１の動作によって、２つの連結器２０ａ、２０ｂが遠隔レバー７０側に付勢される。２つの連結器２０ａ、２０ｂに係合している、リクライニング駆動部５０ａに接続しているコントロールケーブル２ａの内索８ａと、チルト駆動部５０ｂに接続しているコントロールケーブル２ｂの内索８ｂとが、共に遠隔レバー７０側に引かれ、リクライニング駆動部５０ａとチルト駆動部５０ｂが共に作動する。したがって、遠隔レバー７０の操作で２つの操作対象を作動することができる。
【００３０】
このとき、リクライニング操作用のコントロールケーブル３ａの内索９ａと、チルト操作用のコントロールケーブル３ｂの内索９ｂには力が働かないので、コントロールケーブル３ａ、３ｂの内索９ａ、９ｂは動かず、連結器２０ａ、２０ｂがエンド１０の外側を摺動して、取り残される。
【００３１】
図５の２つの操作対象を作動させた状態から、一方、たとえばチルト操作のみ作動を解除（すなわち、チルト駆動部側でチルト動作を解除）した場合は、図４のようにリクライニング操作レバーのみ操作したのと同様の状態になる。多くの場合は、駆動部側に操作を解除する方向に働くバネ（図示せず）が付随しているので、バネの力によって、リクライニング操作も解除される（すなわち図２の状態に戻る）。駆動部側に操作を解除する方向に働くバネが設けられていない場合などには、プレート１１を安定させるために、プレート１１を内索の端部に付勢するバネを設けてもよい。
【００３２】
このように、本発明によれば、それぞれの操作対象を独立に操作することができ、また、一本のコントロールケーブルで複数の操作対象をまとめて操作することができる。本実施の形態にかかわるコントロールケーブルの分岐装置４０を使用すると、図２１の従来の例に比較して、コントロールケーブルが２本少なくてすむ。
【００３３】
図６は、操作対象（駆動部）が３つある場合における、コントロールケーブルの分岐装置４０の例を示す。
【００３４】
駆動部が３つの場合は、図６の（ｂ）に示すように、断面において、各連結器２０ａ、２０ｂ、２０ｃが三角形の頂点になるように配置することができる。遠隔レバー７０の操作と各駆動部の反力がバランスすればよいので、連結器２０ａ、２０ｂ、２０ｃの配置は正三角形の頂点でなくてもよく、場合によっては直線状に配置してもよい。遠隔操作コントロールケーブル１を中心とした各駆動部の反力のモーメントの和が０になるのが装置の動作バランスのためには好ましいが、特段そのように配置しなくても操作可能であればよい。
【００３５】
図２では操作対象が２つの場合、図６では操作対象が３つの場合を示したが、操作対象の数はこれらに限定される必要はなく、３以上の場合でも同様に構成することができる。
【００３６】
図１０は、本発明の実施の形態１にかかわる、最小構成のコントロールケーブルの分岐装置を示す構造断面図である。図１０において、駆動部は１つであり、駆動部を２箇所（操作部コントロールケーブル３ａまたは遠隔操作コントロールケーブル１）から操作することができる。この場合は、従来の分岐装置に比較してコントロールケーブルの本数の削減にはならないが、各コントロールケーブルの内索同士が固定接続されていないので、一方（例えば操作部コントロールケーブル３ａ）を操作した場合でも、内索に曲げモーメントが加わらないので、動きがスムーズであり、内索の耐用回数の増加が期待できる。
【００３７】
実施の形態２
本発明の実施の形態２について、図７を参照して説明する。本実施の形態２では、コントロールケーブルの分岐装置４０に２つのプレート１１ａ、１１ｂ、および遠隔操作コントロールケーブル１ａ、１ｂ（図示せず）を設ける場合を想定する。
【００３８】
図７では、操作対象（駆動部）が３つであることは、図６と同様であるが、プレート１１が２つあり、それぞれのプレート１１ａ、１１ｂが別の遠隔操作コントロールケーブル１ａ、１ｂの内索７ａ、７ｂに係合している点が異なっている。図７においてプレート１１ａは図６と同様、３つの駆動部を同時に操作するように３つの連結器２０ａ、２０ｂ、２０ｃの断面をカバーしている。プレート１１ｂは３つの駆動部のうち、２つの連結器２０ａ、２０ｂの端面に当接している。プレート１１ａとプレート１１ｂとは、プレート１１ｂが接している連結器２０ａ、２０ｂの投影部分で重なっている。また、プレート１１ｂが接していない連結器２０ｃの端面はプレート１１ｂの厚さだけ延長されており、プレート１１ａに当接している。
【００３９】
プレート１１ａは中央で遠隔操作コントロールケーブル１ａの内索７ａに係合し、プレート１１ｂは接している２つの連結器２０の中央で、遠隔操作コントロールケーブル１ｂの内索７ｂに係合している。
【００４０】
遠隔操作コントロールケーブル１ａを引く場合は、３つの駆動部が作動し、遠隔操作コントロールケーブル１ｂを引く場合は、２つの駆動部だけが作動する。また、実施の形態１と同様に、各操作レバーを個別に操作することによって、各駆動部は独立に操作できる。
【００４１】
たとえば、シートのリクライニング、チルトおよびスライドの各駆動部があって、リアハッチ側からは、リクライニングとチルトは必ず同時に作動させる必要があるが、さらにシートスライド操作までする必要がある場合と、スライド操作しなくてよい場合があるような状況において、リクライニング駆動部とチルト駆動部をプレート１１ｂに対応させ、３つ全部を操作するようにプレート１１ａを配置すれば、操作レバーを選択して操作することによって、組み合わせ操作を一括して行なうことができる。
【００４２】
本実施の形態２では、駆動部が３つの場合で、組み合わせが２つと３つの場合を説明したが、本発明はこれに限定されるものではなく、駆動部が３つ以上のさまざまな組み合わせが可能である。たとえば、駆動部が４で、そのうち２ずつをまとめて操作できるようにし、また４つの駆動部全体を一括して操作できるように構成することができる。その場合、プレート１１は３枚になる。
【００４３】
実施の形態３
本発明の実施の形態３について、図８を参照して説明する。本実施の形態３では、遠隔操作でのみ操作すべき対象のコントロールケーブルがある場合に対応する。
【００４４】
たとえば、シートのスライド操作や折りたたみ操作が、コントロールケーブルを介さず、駆動部を直接フットペダルなどで操作するが、遠隔操作でもそのスライド操作や折りたたみ操作を行ないたいような場合である。
【００４５】
図８において、駆動部が３つであることは、図６と同様であるが、駆動部のうち１つ（たとえばシートスライド）については、独立して操作するコントロールケーブル３ａがない。そこで、独立して操作するコントロールケーブルがない駆動部のコントロールケーブル２ａに対しては連結器２０ａ（図６参照）を省略して、コントロールケーブル２ａのエンド１０を直接プレート１１に係合させるように配置したものである。すなわち、シートスライド駆動部のコントロールケーブル２ａの内索８ａのエンド１０を直接、プレート１１に係合させている。
【００４６】
操作部コントロールケーブル３ｂ、３ｃがある駆動部については、それぞれ独立して操作することができる。また、遠隔レバー（図示せず）を操作すると、３つの駆動部が同時に作動する。
【００４７】
このようにして、操作部コントロールケーブル３ａのない駆動部については、連結器２０ａを省略することができ、部品数および組立て工数を削減できる。
【００４８】
実施の形態４
本発明の実施の形態４について、図９を参照して説明する。本実施の形態４では、駆動部がバネなどによって自動的に作動解除しない場合に、双方向に複数の対象をまとめて操作できるコントロールケーブルの分岐装置４０を提供する。
【００４９】
図９において、駆動部が３つであることは、図６と同様であるが、２つのプレート１１ａ、１１ｂがそれぞれ連結器２０ａ、２０ｂ、２０ｃの両側の面に当接して配置されている。プレート１１ａが連結器２０の一方の面（図９では右側）に配置され、ケース３０の反対側（図９の左側）に固定された遠隔操作コントロールケーブル１ａ（図示せず）の内索７ａに係合している。プレート１１ｂは連結器２０ａ、２０ｂ、２０ｃの他方の面（図９では左側）に配置され、ケース３０の右側に固定された遠隔操作コントロールケーブル１ｂ（図示せず）の内索７ｂに係合している。
【００５０】
本実施の形態４では、プレート１１ａは３つの連結器２０ａ、２０ｂ、２０ｃすべてに当接し、プレート１１ｂは２つの連結器２０ａ、２０ｂに当接している。したがって、遠隔操作コントロールケーブル１ａを操作した場合は、３つの駆動部が作動し、その状態から、遠隔操作コントロールケーブル１ｂを操作すると、２つの駆動部が作動解除する。プレート１１ｂが接していない連結器２０ｃに係合しているコントロールケーブル２ｃの駆動部は、自動的に作動解除するようになっている場合もあり得る。
【００５１】
プレート１１ｂに接していない連結器２０ｃに係合しているコントロールケーブルの駆動部はもちろんのこと、プレート１１ｂに接している連結器２０ａ、２０ｂに係合している駆動部コントロールケーブル２ａ、２ｂの駆動部についても、独立して操作することができる。たとえば、操作部コントロールケーブル３ｂを操作すると、プレート１１ｂもケース３０左側に動かされるが、プレート１１ｂは連結器２０に接しているだけなので、他の連結器２０には力が働かず、操作部コントロールケーブル３ｂに対向している駆動部コントロールケーブル２ｂの駆動部以外は作動しない。操作部コントロールケーブル３ａについても同様である。
【００５２】
したがって、本実施の形態４では、双方向に複数の対象（駆動部）をまとめて操作することができ、従来の分岐装置に比べてコントロールケーブルの本数を減らすことができる。
【００５３】
実施の形態５
つぎに、本発明の別の態様として連結器がプーリーであるコントロールケーブルの分岐装置について、例を示して説明する。図１１は、本発明の実施の形態５にかかわる、コントロールケーブルの分岐装置４０を示す外形図であり、（ａ）は左側面図、（ｂ）は正面図、（ｃ）は右側面図である。図１２は、図１１に示すコントロールケーブルの分岐装置４０の断面図である。図１３は、図１１に示すコントロールケーブルの分岐装置４０の分解斜視図である。本実施の形態５では、連結器に相当する部材がプーリーで構成されている。また、プレート１１に相当する部材はなく、代わりにプーリー側面に形成された突部とくぼみによって、独立操作と組み合わせ操作が実現されている。
【００５４】
分岐装置４０は、ケース３０ａとケース３０ｂが組み合わされて、内部に２個のプーリー８０ａ、８０ｂが同じ中心軸で回転するように収容されている（図１３）。プーリー８０ａ、８０ｂの側面にはケース３０ａ、３０ｂの中心に形成された孔３２ａ、３２ｂにはにはまって回転するように、ハブ８９が形成されており（図１２）、２個のプーリー８０ａ、８０ｂの隣接する側面には回転軸がずれないように、一方にはボス９０が（図１６）、他方にはその受け部９１が形成されている（図１７）。それぞれのハブ８９がケース３０ａ、３０ｂの孔３２ａ、３２ｂにはまり、ボス９０が受け部９１にはまって２個のプーリー８０ａ、８０ｂはケース３０ａ、３０ｂに対してそれぞれ独立に回転する。
【００５５】
２個のプーリー８０ａ、８０ｂにはそれぞれ内索が係合する２条の溝８１、８２が外周に形成されている。２条の溝のうち１条（８２ａ、８２ｂ）には駆動部コントロールケーブル２ａ、２ｂの内索８ａ、８ｂの端部を係合する凹部８３が形成され、他の１条（８１ａ、８１ｂ）には操作部コントロールケーブル３ａ、３ｂの内索９ａ、９ｂの端部が係合する端面８４が形成されており、その端面８４につらなるプーリー外径が小さい部分（小径部８５）が形成されている。分岐装置４０の取り付け面に近い１つのプーリー８０ａ（図１３参照）には、さらに遠隔操作コントロールケーブル１の内索７が係合する端面（第２の端面８６）とその第２の端面８６につらなる小径部８５が形成されている（図１６）。
【００５６】
２個のプーリー８０ａ、８０ｂの隣接する側面には、一方の側面に突部８７が（図１７）、他方の側面にプーリー外径の中心を中心とする同心円状の一部をなすくぼみ８８が形成されている（図１６）。突部８７がくぼみ８８にはまりこみ、くぼみ８８の範囲で２個のプーリー８０ａ、８０ｂは独立に回転するが、突部８７がくぼみ８８の端に当接すると、一方のプーリー８０ａの回転につれて他方のプーリー８０ｂも回転する。本実施の形態５では、突部８７が形成されたプーリー８０ｂが独立に操作できる対象となってくぼみ８８の範囲で独立に動き、くぼみ８８が形成されたプーリー８０ａが組み合わせ操作ケーブルに対応している。突部８７とくぼみ８８を逆にして、突部８７が組み合わせ操作用プーリー８０ａに、くぼみ８８が独立操作用プーリー８０ｂに形成されてもよい。
【００５７】
２つの駆動部コントロールケーブル２ａ、２ｂが図１１（ｂ）で示されるケース３０ａの左上に接続され、それぞれの内索８ａ、８ｂがプーリー８０ａ、８０ｂの外周溝８２ａ、８２ｂにかかり、それらの端部に形成されたニップルエンド１３が２個のプーリー８０ａ、８０ｂの凹部８３にそれぞれ係合されている。２つの操作部コントロールケーブル３ａ、３ｂが図１１（ｂ）で示されるケース３０ａの右上に接続され、それぞれの内索９ａ、９ｂがプーリー８０ａ、８０ｂの外周溝８１ａ、８１ｂにかかり、それらの端部に形成されたニップルエンド１３が２個のプーリー８０ａ、８０ｂの外周に形成された端面８４に係合されている。そして、遠隔操作コントロールケーブル１が図１１（ｂ）で示されるケース３０ａの左下に接続され、遠隔操作コントロールケーブル１の内索７がプーリー８０ａの操作部コントロールケーブル３ａの内索９ａが係合する外周溝８１ａにかかり、その端部に形成されたニップルエンド１３が第２の端面８６に係合されている。
【００５８】
駆動部コントロールケーブル２ａと操作部コントロールケーブル３ａとが１組の構成をなし、駆動部コントロールケーブル２ｂと操作部コントロールケーブル３ｂとが別の１組の構成をなしている。また、遠隔操作ケーブル１は独立した駆動部コントロールケーブルと組を構成していない。
【００５９】
本実施の形態５のコントロールケーブルの分岐装置４０を車両などに取り付ける場合、あらかじめ分岐装置４０に各ケーブルを取り付けて組み立てておいて、２個のプーリー８０ａ、８０ｂの中心に形成された四角い孔に棒を差し込んでプーリー８０ａ、８０ｂが回転しないように固定しておき、各コントロールケーブルの駆動部側または操作部側の端をそれぞれ取り付けて長さを調整する。プーリー８０ａ、８０ｂが回転しないように固定できればよいので、固定方法はプーリー中心に設けられた四角い孔でなくてもよい。
【００６０】
つぎに動作および作用について、図１８、１９および２０を参照して説明する。いずれの操作部コントロールケーブル３ａ、３ｂおよび遠隔操作操作コントロールケーブル１も操作されていない状態から、操作部コントロールケーブル３ｂの内索９ｂを引くと（図１８（ａ））、プーリー８０ｂが回転し、駆動部コントロールケーブル２ｂの内索８ｂが操作側に引かれて駆動部が操作される。そのとき、突部８７はくぼみ８８のなかで自由に動くので、プーリー８０ａは回転せず、駆動部コントロールケーブル２ａは操作されない（図１８（ｂ））。
【００６１】
いずれの操作部コントロールケーブル３ａ、３ｂおよび遠隔操作操作コントロールケーブル１も操作されていない状態から、今度は操作部コントロールケーブル３ａの内索９ａを引くと（図１９（ａ））、プーリー８０ａが回転し、駆動部コントロールケーブル２ａの内索８ａが操作側に引かれて駆動部が操作される。そのとき、突部８７はくぼみ８８の端に当接しプーリー８０ｂもプーリー８０ａとともに回転する。その結果、駆動部コントロールケーブル２ｂが操作側に引かれて駆動部が操作される（図１９（ｂ））。この場合、操作部コントロールケーブル３ｂの内索９ｂと、遠隔操作コントロールケーブル１の内索７は取り残される。プーリー８０ｂ、８０ａによって操作部コントロールケーブル３ｂの内索９ｂと遠隔操作コントロールケーブル１の内索７の端部が動かされてそれらの内索９ｂ、７がケース内にはみださないように、それぞれのプーリー８０ａ、８０ｂに小径部８５が形成されている。回転するプーリーを基準に考えれば、動かない操作部コントロールケーブル３ｂの内索９ｂと遠隔操作コントロールケーブル１の内索７はそれぞれ小径部８５に逃がされる。
【００６２】
つぎに、いずれの操作部コントロールケーブル３ａ、３ｂおよび遠隔操作操作コントロールケーブル１も操作されていない状態から、遠隔操作部コントロールケーブル１を引くと（図２０（ａ））、プーリー８０ａが回転し、突部８７がくぼみ８８の端に当接しているのでプーリー８０ｂもプーリー８０ａとともに回転する。その結果、駆動部コントロールケーブル２ａの内索８ａと駆動部コントロールケーブル２ｂの内索８ｂがともに操作側に引かれて駆動部が操作される（図２０）。このとき、操作部コントロールケーブル３ａおよび３ｂの内索は、それぞれのプーリー８０ａ、８０ｂの小径部８５に取り残されて動かない。
【００６３】
すなわち、本実施の形態５では操作部コントロールケーブル３ａを操作しても、遠隔操作コントロールケーブル１を操作しても、駆動部コントロールケーブル２ａおよび２ｂを同時に操作することができる。また、操作部コントロールケーブル３ｂを操作した場合は、駆動部コントロールケーブル２ｂのみが操作される。本実施の形態５では、操作部コントロールケーブル３ａと同じ働きをする遠隔操作コントロールケーブル１を別の場所に設けた例になっている。
【００６４】
本実施の形態５によれば、各コントロールケーブルの取り付け角度を変えることができるので、車両のように狭い空間において効率的にコントロールケーブルを設置することができる。
【００６５】
なお、本実施の形態５では２個のプーリー８０ａ、８０ｂの外径が等しい場合を示したが、２個のプーリー８０ａ、８０ｂの外径を変えることによって、操作量が異なる駆動部を１つの操作にまとめることができる。
【００６６】
また、本実施の形態５では２個のプーリー８０ａ、８０ｂを用いて、遠隔操作コントロールケーブル１を操作部コントロールケーブル３ａと同じプーリー８０ａに係合させたが、２個のプーリー８０ａ、８０ｂの間に遠隔操作用のプーリーを別に設けることによって実施の形態１と同じように、２つの駆動部をそれぞれ独立に操作することが可能で、かつ、遠隔操作では２つの駆動部をまとめて操作するように構成することもできる。その場合、遠隔操作コントロールケーブル１が係合するプーリーは外周溝を１条として２個の独立操作用プーリー８０ａ、８０ｂの中央に置く。そして、遠隔操作用のプーリーは外周溝が１条で薄いので、突部とくぼみの関係を実施の形態５とは反対にして、中央のプーリーに突部８７を設け、両側のプーリーにくぼみ８８を設けて突部８７によってくぼみ８８が動かされるようにしてもよい。あるいは、くぼみ８８を貫通孔としてもよい。さらに、突部８７とくぼみ８８の当接する位置関係を両側で異なるようにすれば、遠隔操作では駆動部の操作に段階（時間差）をつけることができる。プーリーが３個以上の場合は回転を安定させるために、中央にシャフトを設けてもよい。シャフトはいずれかのプーリーに固定することもできる。なお、遠隔操作用プーリーの外径を大きくすることによって、遠隔操作の操作力を小さくする倍力機構としてもよい。
【００６７】
以上、実施の形態１から５では、駆動部が２または３の場合について例を示して説明したが、本発明はこれらの場合に限定されるものではなく、駆動部が２以上のさまざまな組み合わせに適用して構成することができる。
【００６８】
なお、いずれのコントロールケーブルの端部も通常のニップルエンドを形成するだけであり、容易に製作することができる。また、それぞれのコントロールケーブルは独立して長さ調節できるので、組立て・調整も容易である。
【図面の簡単な説明】
【００６９】
【図１】本発明の実施の形態１にかかわるコントロールケーブルの分岐装置を使用する、操作系統の構成概念図である。
【図２】本発明の実施の形態１にかかわる、操作対象が２つで、１つの組み合わせ操作を有する場合のコントロールケーブルの分岐装置の構造断面図（ａ）、および（ａ）のＸ−Ｘ線断面図（ｂ）である。
【図３】実施の形態１にかかわるコントロールケーブルの分岐装置で、１つの操作対象のみ操作した場合の動作を示す断面図
【図４】実施の形態１にかかわるコントロールケーブルの分岐装置で、他方の操作対象のみ操作した場合の動作を示す断面図
【図５】実施の形態１にかかわるコントロールケーブルの分岐装置で、２つの操作対象を組み合わせ操作した場合の動作を示す断面図
【図６】操作対象が３つの場合のコントロールケーブルの分岐装置の例を示す、構造断面図（ａ）、および（ａ）のＹ−Ｙ線断面図（ｂ）である。
【図７】本発明の実施の形態２にかかわる、２つのプレートを有する場合のコントロールケーブルの分岐装置を示す構造断面図（ａ）、および（ａ）のＺ−Ｚ線断面図（ｂ）である。
【図８】本発明の実施の形態３にかかわる、組み合わせ操作でのみ操作できる対象がある場合のコントロールケーブルの分岐装置を示す構造断面図（ａ）、および（ａ）のＵ−Ｕ断面図（ｂ）である。
【図９】本発明の実施の形態４にかかわる、２つのプレートを有し、双方向から組み合わせ操作ができる場合のコントロールケーブルの分岐装置を示す構造断面図（ａ）、（ａ）のＶ−Ｖ断面図（ｂ）および（ａ）のＷ−Ｗ断面図（ｃ）である。
【図１０】本発明の実施の形態１にかかわる、最小構成のコントロールケーブルの分岐装置を示す構造断面図である。
【図１１】本発明の実施の形態５にかかわる、コントロールケーブルの分岐装置を示す外形図であり、（ａ）は左側面図、（ｂ）は正面図、（ｃ）は右側面図である。
【図１２】本発明の実施の形態５にかかわる、コントロールケーブルの分岐装置の断面図である。
【図１３】本発明の実施の形態５にかかわる、コントロールケーブルの分岐装置の分解斜視図である。
【図１４】本発明の実施の形態５にかかわる、コントロールケーブルの分岐装置のケースａを示す平面図である。
【図１５】本発明の実施の形態５にかかわる、コントロールケーブルの分岐装置のケースｂを示す図である。
【図１６】本発明の実施の形態５にかかわる、コントロールケーブルの分岐装置のプーリーａの平面図（ａ）とそのＳ−Ｓ断面図（ｂ）である。
【図１７】本発明の実施の形態５にかかわる、コントロールケーブルの分岐装置のプーリーｂの平面図（ａ）とそのＴ−Ｔ断面図（ｂ）である。
【図１８】本発明の実施の形態５にかかわる、コントロールケーブルの分岐装置の動作を説明する図である。
【図１９】本発明の実施の形態５にかかわる、コントロールケーブルの分岐装置の動作を説明する図である。
【図２０】本発明の実施の形態５にかかわる、コントロールケーブルの分岐装置の動作を説明する図である。
【図２１】従来のコントロールケーブルの分岐装置を使用した場合の、操作系統の構成概念図である。
【符号の説明】
【００７０】
１、１ａ、１ｂ  遠隔操作コントロールケーブル
２ａ、２ｂ、２ｃ  駆動部コントロールケーブル
３ａ、３ｂ、３ｃ  操作部コントロールケーブル
４、４ａ、４ｂ  導管（遠隔操作コントロールケーブル）
５ａ、５ｂ、５ｃ  導管（駆動部コントロールケーブル）
６ａ、６ｂ、６ｃ  導管（操作部コントロールケーブル）
７、７ａ、７ｂ  遠隔操作内索（遠隔操作コントロールケーブル）
８ａ、８ｂ、８ｃ  内索（駆動部コントロールケーブル）
９ａ、９ｂ、９ｃ  内索（操作部コントロールケーブル）
１０    エンド
１１、１１ａ、１１ｂ  プレート
１３    ニップルエンド
２０ａ、２０ｂ、２０ｃ  連結器
２１    シリンダ部
３０、３０ａ、３０ｂ  ケース
３１    鞘部
３２ａ、３２ｂ  孔
４０    分岐装置
５０ａ、５０ｂ、５０ｃ  駆動部
６０ａ、６０ｂ、６０ｃ  操作レバー
７０    遠隔レバー
８０ａ、８０ｂ  プーリー
８１ａ、８１ｂ  外周溝（操作部側）
８２ａ、８２ｂ  外周溝（駆動部側）
８３    凹部
８４    端面
８５    小径部
８６    第２の端面
８７    突部
８８    くぼみ
８９    ハブ
９０    ボス
９１    受け部
【図１】
2006057827.tif 000003
【図２】
2006057827.tif 000004
【図３】
2006057827.tif 000005
【図４】
2006057827.tif 000006
【図５】
2006057827.tif 000007
【図６】
2006057827.tif 000008
【図７】
2006057827.tif 000009
【図８】
2006057827.tif 000010
【図９】
2006057827.tif 000011
【図１０】
2006057827.tif 000012
【図１１】
2006057827.tif 000013
【図１２】
2006057827.tif 000014
【図１３】
2006057827.tif 000015
【図１４】
2006057827.tif 000016
【図１５】
2006057827.tif 000017
【図１６】
2006057827.tif 000018
【図１７】
2006057827.tif 000019
【図１８】
2006057827.tif 000020
【図１９】
2006057827.tif 000021
【図２０】
2006057827.tif 000022
【図２１】
2006057827.tif 000023